(57)【要約】【課題】  贈呈品の持ち運びの便を高めると共に、ギフト商品としての価値をも高める。【解決手段】  結婚式等での贈呈品贈り主が商品群に含まれる商品Ｓ１〜Ｓ５を選択すると、その選択された複数の商品の組み合わせに応じた収納容積の贈呈品収納パッケージ１０が選択され、これら商品は、贈呈品収納パッケージ１０のボックス部１２に梱包材Ｋと共に収納される。この収納に際しては、中敷紙１６にて収納済み商品を覆い隠すと共に、その中敷紙１６の上に配設したカード１８にて、ボックス部１２に収納された複数の商品（即ち、贈り主が選んだ商品）の外観を表す。【選択図】  図２
0003108181.tif 000002
【実用新案登録請求の範囲】
【請求項１】
贈呈品収納パッケージであって、
贈呈品として選択されるよう用意された商品群のうちから、該商品群に含まれる商品として選択された複数の商品を、梱包材と共に収納するボックス部と、
該ボックス部の一辺から連設され、前記収納部を覆う蓋体と、
前記複数の商品の収納に先立って前記ボックス部に配設され、商品収納後には、収納済み商品を覆い隠す中覆いとを備え、
前記ボックス部は、商品の収納容積が異なるものとして複数種類のものが予め用意され、前記選択された複数の商品の組み合わせに応じて定めた容積のものから選択して使用される
贈呈品収納パッケージ。
【請求項２】
請求項１記載の贈呈品収納パッケージであって、
前記蓋体の裏面には、メッセージを記入してなる
贈呈品収納パッケージ。
【請求項３】
請求項１または請求項２記載の贈呈品収納パッケージであって、
前記中覆いは、収納済み商品を、前記ボックス部の左右から覆い隠し、該左右から覆い隠した中覆いの重ね合わせ箇所を、装飾具を介在させて張り合わせた
贈呈品収納パッケージ。
【請求項４】
請求項１ないし請求項３いずれか記載の贈呈品収納パッケージであって、
前記ボックス部の前記収納部を覆った蓋体が開かないように、前記蓋体を前記ボックス部に粘着シールにて固定した
贈呈品収納パッケージ。
【請求項５】
請求項４記載の贈呈品収納パッケージであって、
前記粘着シールにて前記蓋体を前記ボックス部に固定した状態で、前記ボックス部を収納する外箱を有する
贈呈品収納パッケージ。
【請求項６】
請求項１ないし請求項５いずれか記載の贈呈品収納パッケージであって、
前記ボックス部に収納された複数の商品の外観を表示するカードを前記中覆いの上に配設した
贈呈品収納パッケージ。
【考案の詳細な説明】
【技術分野】
【０００１】
本考案は、贈呈品を収納する贈呈品収納パッケージに関する。
【背景技術】
【０００２】
結婚式や法要等の際には、その参列者に贈呈品を手渡すことが慣習化されている。こうした贈呈品は、紙袋等に個別に入れて参列者が持ち帰ることが一般的である。
【考案の開示】
【考案が解決しようとする課題】
【０００３】
しかしながら、手渡す贈呈品は複数種類の商品であることが多いので、紙袋に入れて持ち帰る場合には、ここの商品がそれぞれ梱包して単に袋に入れてあるに過ぎないことから、かさばったりして、持ち帰りの際の取り扱いが煩雑である。なお、近年では、贈呈品を掲載した商品カタログを参列者に手渡し、その参列者が商品カタログから商品を選択するようにすることも行われているが、参列者はそうした商品を持ち帰ることができないので、違和感を覚えることもある。
【０００４】
また、贈り主が複数種類の商品を贈呈品として選ぶ際には、贈り主の贈呈趣旨が込められることが多い。例えば、カップ＆ソーサーのティーカップセットにケーキを組み合わせて贈呈品とすると、贈り主は、贈呈品を送った方に、くつろいだティーの時間を持って欲しい、と言った贈呈趣旨を込めることがある。ところが、参列者の側、即ち贈呈品の贈呈を受けた側では、それぞれ梱包されている複数種類の商品、上記の場合には、ティーカップセットとケーキのそれぞれの商品がそれぞれ別個に梱包されているので、上記した贈り主の贈呈趣旨に気が付かないことも有りえる。このため、贈り主が贈呈品に込めた贈呈趣旨が理解されず、ギフト商品としての価値が十分に発揮されていないのが現状である。
【０００５】
本考案は、上記従来の技術の問題を解決するものであり、贈呈品の持ち運びの便を高めると共に、ギフト商品としての価値をも高めることを目的とする。
【課題を解決するための手段】
【０００６】
かかる課題の少なくとも一部を解決するため、本考案の贈呈品収納パッケージでは、贈呈品贈り主が商品群に含まれる商品を選択すると、その選択された複数の商品は、その組み合わせに応じた収納容積のボックス部に、梱包材と共に収納される。しかも、この収納に際しては、中覆いにて収納済み商品を覆い隠す。従って、この贈呈品収納パッケージを贈られた人は、単一のパッケージをそのまま、或いは袋等に入れて持ち運べばよいことから、持ち運びの便が良くなる。また、蓋体を開ければ、ボックス部に収納されている複数の商品を目にできるので、その複数の商品を組み合わせた贈り主の贈呈趣旨を理解できる。このため、ギフト商品としての価値も高まる。この場合、蓋体の裏面にメッセージを記入しておけば、このメッセージを読むことによっても、この贈呈趣旨をより確実に理解でき好ましい。更には、中覆いの上にカードを配設し、このカードにボックス部に収納された複数の商品の外観を表示しておけば、このカードにて収納商品を見ることができるので、収納を解かないうちに贈呈趣旨を理解でき、好ましい。
【０００７】
こうした贈呈品パッケージにおいて、中覆いを、収納済み商品をボックス部の左右から覆い隠すものとし、左右から覆い隠した中覆いの重ね合わせ箇所を装飾具にて張り合わることもできる。こうすれば、蓋体を開けたときの見栄えが良くなる。
【０００８】
また、ボックス部の収納部を覆った蓋体が開かないように、蓋体をボックス部に粘着シールにて固定すれば、持ち運びの際の利便性が高まる。
【０００９】
更には、粘着シールにて蓋体を固定したボックス部を外箱に収納すれば、この外箱に収納された状態で、宅配や郵送に付することができる。
【考案を実施するための最良の形態】
【００１０】
次に、本考案の構成・作用を一層明らかにするために、以下本考案の好適な実施例について説明する。図１は実施例の贈呈品収納パッケージの外観を示す説明図、図２は収納した商品を贈呈品収納パッケージと共に示す説明図、図３は商品収納の様子を模式的に示す説明図である。
【００１１】
図示するように、実施例の贈呈品収納パッケージ１０は、大中小の三つの大きさで予め用意されている。このうちのどの贈呈品収納パッケージ１０を用いるかは、贈り主が贈呈品として選択した複数の商品の組み合わせに応じて定められる。例えば、図２に示すように、贈り主がコーヒー・紅茶の商品群に含まれる商品としてシュガースティック１箱と、カップ＆ソーサー２組を選択すると、その選択された商品Ｓ１〜Ｓ５の組み合わせに応じた大きさの贈呈品収納パッケージ１０が選択される。なお、図２は説明の便宜上、収納商品を梱包材Ｋから取り出した状態を示す。
【００１２】
そして、この贈呈品収納パッケージ１０は、贈呈品として選択された複数の商品を、梱包材Ｋと共に収納するボックス部１２と、このボックス部１２の一辺から連設された蓋体１４とを有する。蓋体１４は、折り返し自在とされ、ボックス部１２の商品収納部を覆う。こうして商品収納部を覆った蓋体１４は、粘着シール１５にてボックス部１２に固定される。
【００１３】
贈呈品収納パッケージ１０は、収納商品を覆う中敷紙１６を備え、この中敷紙１６は、ボックス部１２への商品収納に先立ってボックス部底からボックス部側壁に掛けて敷き設され、その上に商品が収納される。そして、中敷紙１６は、図３に示すように、収納済み商品をその左右から覆い隠す。
【００１４】
この他、贈呈品収納パッケージ１０は、図２に示すように、カード１８を有する。このカード１８は、ボックス部１２に収納された複数の商品の外観を表示し、収納済み商品を左右から覆い隠した中敷紙１６の上に配設される。この場合、カード１８における表示は、例えば、図２に示すような写真が印刷されたものとできる。この写真印刷に加え、シュガースティック１箱とカップ＆ソーサー２組を選択する際に用いた例えば商品コード等をカード１８に印刷しておくこともできる。
【００１５】
蓋体１４は、ボックス部１２の側に当たる裏面に、贈り主のメッセージを表示するメッセージ表示部２０を備え、当該表示部には、メッセージが印刷されている。このメッセージとしては、例えば、結婚式の贈呈品で有れば、贈り主の式参列のお礼等とすることも、定型文とすることもできる。また、メッセージを記載したカードをメッセージ表示部２０に張り付けるようにすることもできる。
【００１６】
上記説明したように、本実施例では、結婚式等での贈呈品贈り主が商品群に含まれる商品Ｓ１〜Ｓ５を選択すると、その選択された複数の商品の組み合わせに応じた収納容積の贈呈品収納パッケージ１０が選択され、これら商品は、贈呈品収納パッケージ１０のボックス部１２に梱包材Ｋと共に収納される。この収納に際しては、中敷紙１６にて収納済み商品を覆い隠すと共に、その中敷紙１６の上に配設したカード１８にて、ボックス部１２に収納された複数の商品（即ち、贈り主が選んだ商品）の外観を表す。
【００１７】
以上より、この贈呈品収納パッケージ１０を贈られた人は、単一の贈呈品収納パッケージ１０をそのまま、或いはこれを袋等に入れて持ち運べばよいことから、持ち運びの便が良くなる。また、蓋体１４を開きボックス部１２の最上部の梱包材Ｋを僅かに取り除くだけで、贈り主が選んだ複数の商品を目にできるので、これら商品を選択して組み合わせた贈り主の贈呈趣旨を即座に理解できる。このため、ギフト商品としての価値も高まる。この場合、カード１８にて収納商品を見ることができるので、より一層確実に贈り主の贈呈趣旨を理解できると共に、最上部の梱包材Ｋを取り除いて商品の収納を解く必要もない。加えて、蓋体１４裏面のメッセージ表示部２０における贈呈品贈り主のメッセージを読むことにより、その贈呈品の趣旨の理解が深まる。なお、ボックス部１２の最上部の梱包材Ｋは、収納商品がこれら梱包材Ｋがあっても透けて見えるように入れておくこともできる。また、カード１８の収納商品写真により、ボックス部１２の収納商品の過不足の有無を判別できる。
【００１８】
また、蓋体１４をボックス部１２に粘着シール１５にて固定するので、ボックス部１２の収納部を覆った蓋体１４が開かないようにできる。よって、贈呈品収納パッケージ１０の持ち運びの際の利便性が高まる。
【００１９】
本考案は上記した実施例や実施形態に限られるものではなく、その要旨を逸脱しない範囲において、種々の態様で実施可能である。図４は蓋を開けた際の見栄えを高めるようにした贈呈品収納パッケージ１０の変形例を示す説明図、図５は贈呈品収納パッケージ１０を郵送等する形態を示す説明図である。
【００２０】
図４に示す変形例では、中敷紙１６にて収納済み商品をボックス部１２の左右から覆い隠し、その上で、この中敷紙１６の重ね合わせ箇所にリボン２４を配置し、リボンシール２５にて、これらを張り合わる。こうすれば、蓋体１４を開けたときの見栄えが良くなる。
【００２１】
更には、粘着シール１５にて蓋体１４を固定したボックス部１２を外箱３０に収納すれば、この外箱３０に収納された状態で、贈呈品収納パッケージ１０を宅配や郵送に付することができる。
【図面の簡単な説明】
【００２２】
【図１】実施例の贈呈品収納パッケージの外観を示す説明図である。
【図２】収納した商品を贈呈品収納パッケージと共に示す説明図である。
【図３】商品収納の様子を模式的に示す説明図である。
【図４】蓋を開けた際の見栄えを高めるようにした贈呈品収納パッケージ１０の変形例を示す説明図である。
【図５】贈呈品収納パッケージ１０を郵送等する形態を示す説明図である。
【符号の説明】
【００２３】
１０...贈呈品収納パッケージ
１２...ボックス部
１４...蓋体
１５...粘着シール
１６...中敷紙
１８...カード
２０...メッセージ表示部
２４...リボン
２５...リボンシール
３０...外箱
Ｋ...梱包材
Ｓ１〜Ｓ５...商品
【図１】
0003108181.tif 000003
【図２】
0003108181.tif 000004
【図３】
0003108181.tif 000005
【図４】
0003108181.tif 000006
【図５】
0003108181.tif 000007